(57)【特許請求の範囲】
【請求項１】
スプレー容器本体から突出する噴射筒に取り付けられ、押圧操作により、上記噴射筒から噴射される内容物を前方に向かって噴出させるスプレー容器用ノズルであって、前面に凹部が形成された本体と、上記凹部に回動不能に収容される弾性ノズル部材と、上記弾性ノズル部材の外周面に回動可能に嵌合される操作部材とを備え、上記本体下面に上記噴射筒に連通する嵌入穴が設けられるとともに、凹部奥面に上記嵌入穴に連通して内容物を噴射させる第１ノズル穴が穿設され、上記弾性ノズル部材に上記第１ノズル穴から噴射される内容物を前方に噴出させる第２ノズル穴が穿設され、上記操作部材を回動させることにより上記弾性ノズル部材の外周面が操作部材によって径方向に圧縮可能に形成され、この圧縮により上記第２ノズル穴の開口面積を調節するようにしたことを特徴とするスプレー容器用ノズル。
【発明の詳細な説明】
【０００１】
【発明の属する技術分野】
この発明は、噴射角度を調節することができるスプレー容器用ノズルに関するものである。
【０００２】
【従来の技術】
従来から、塗料や化粧料，潤滑油等を収容し、使用の際に塗料等の内容物をスプレー噴射する容器としてスプレー容器が多く用いられている。このようなスプレー容器は、図１４に示すように、スプレー容器本体１の上端面に突出した噴射筒２に、上記噴射筒２と連通するノズル穴３が穿設された押しボタン４が取り付けられている。そして、上記押しボタン４を押圧することにより、ノズル穴から塗料等５が噴出するようになっている。
【０００３】
【発明が解決しようとする課題】
ところが、上記従来のスプレー容器１では、ノズル穴３の大きさ等によって噴射角度（図示のα）が決定され、変えることができない。そこで、広い面積にスプレーを噴射する場合には、スプレー容器１自体を対象物の表面から離すか、押しボタン４を押しながらスプレー容器１自体を上下左右に移動させる必要がある。しかしながら、上記のように、スプレー容器１と対象物との距離を大きくすると、塗料等５が拡散されてしまい、充分に塗布されない部分が生じるため、塗布むらになりやすい。また、スプレー容器１を移動させると、塗料等５が塗り重ねられる部分が生じるため、やはり塗布むらになりやすい。一方、狭い面積だけに噴射したい場合には、スプレー容器１自体を対象物の表面に近づけるか、塗布したくない部分にマスキングを施す必要がある。しかしながら、上記のように、スプレー容器１を対象物に近づけると、必要以上に厚く塗布されたり、広い範囲に噴射されてしまい、塗料等が無駄に消費されてしまう。また、いちいちマスキングを行うのは極めて作業性が悪い。上記のような問題から、噴射角度を必要に応じて変更することができるスプレー容器が要望されている。
【０００４】
この発明は、このような事情に鑑みなされたもので、噴射角度を必要に応じて調節し、噴射面積を自在に変えることができるスプレー容器用ノズルの提供をその目的とする。
【０００５】
【課題を解決するための手段】
上記の目的を達成するため、この発明のスプレー容器用ノズルは、スプレー容器本体から突出する噴射筒に取り付けられ、押圧操作により、上記噴射筒から噴射される内容物を前方に向かって噴出させるスプレー容器用ノズルであって、前面に凹部が形成された本体と、上記凹部に回動不能に収容される弾性ノズル部材と、上記弾性ノズル部材の外周面に回動可能に嵌合される操作部材とを備え、上記本体下面に上記噴射筒に連通する嵌入穴が設けられるとともに、凹部奥面に上記嵌入穴に連通して内容物を噴射させる第１ノズル穴が穿設され、上記弾性ノズル部材に上記第１ノズル穴から噴射される内容物を前方に噴出させる第２ノズル穴が穿設され、上記操作部材を回動させることにより上記弾性ノズル部材の外周面が操作部材によって径方向に圧縮可能に形成され、この圧縮により上記第２ノズル穴の開口面積を調節するようにしたという構成をとる。
【０００６】
このように、この発明のスプレー容器用ノズルは、操作部材を回動させることにより弾性ノズル部材の外周面が操作部材によって径方向に圧縮可能に形成され、この圧縮により第２ノズル穴の開口面積を調節するようにしている。このため、広い面積にスプレー噴射する場合には、操作部材を、弾性ノズル部材が圧縮されない位置に位置決めし、第２ノズル穴の開口面積を最大になるよう設定する。これにより、上記開口面積の大きさに伴って噴射角度が大きく設定され、広い面積にスプレー噴射することができる。一方、狭い面積にスプレー噴射しようとする場合には、操作部材を回動させて弾性ノズル部材を径方向に圧縮させ、第２ノズル穴の開口面積を小さくする。これにより、上記開口面積が小さくなったことに伴って噴射角度が小さく設定され、狭い面積にスプレー噴射することができる。
【０００７】
このように、この発明のスプレー容器用ノズルは、噴射角度を必要に応じて調節することができるため、広い面積にスプレーを噴射する場合にも、スプレー容器自体を対象物から離したり、スプレー容器自体を移動させる必要がなくなり、塗布むらが生じにくく、まんべんなく均一に塗布等することができる。また、狭い面積だけに噴射したい場合にも、スプレー容器を対象物に近づけたり、マスキングを施す必要がなくなり、塗料等が無駄に消費されることがなく、作業性もよくなる。しかも、噴射角度は無段階で調節可能であるため、作業状況に応じて自在に噴射面積を調節することができる。
【０００８】
【発明の実施の形態】
つぎに、この発明の実施の形態を詳しく説明する。
【０００９】
図１は、この発明の実施の形態を示すスプレー容器用ノズルである。このスプレー容器用ノズルは、スプレー容器の上面に取り付けられ、前面にノズル突部１９が突出形成された本体１０と、ノズル突部１９の前面に形成された凹部１６に回動不能に収容される弾性ノズル部材１８と、上記ノズル突部１９に回動可能に冠着した状態で、上記弾性ノズル部材１８の先端突起１７の外周面２１に回動可能に嵌合するキャップ部材（操作部材）１１とを備えている。
【００１０】
上記本体１０は、合成樹脂で一体成形されており、図２〜図４に示すように、円板状部１２ａの下面に円筒体部１２ｂが垂設されてなる取り付け台部１２と、この取り付け台部１２の上面に形成されたブロック状のノズル部１３とからなっている。
【００１１】
上記取り付け台部１２には、円筒体部１２ｂの周壁の前後左右の４個所に係合部１２ｃが形成され、これら係合部１２ｃがスプレー容器（図示せず）の上端部と係合し、本体１０がスプレー容器に取り付けられるようになっている。また、ノズル部１３の上部後面に、後方に延びる押圧片１３ａが形成されている。一方、このノズル部１３の下部前面には、前方に延びる幅狭の連結部１３ｂが形成されている。そして、上記ノズル部１３の周辺から上記連結部１３ｂの両側部にかけて、上記ノズル部１３を囲むように隙間１４が形成され、この隙間１４によって上記ノズル部１３と取り付け台部１２とが、上記連結部１３ｂの上面部分１３ｃを残して切り離されている。これにより、上記押圧片１３ａを上方から押圧すると、上記連結部１３ｂの上面部分１３ｃが弾性変形し、ここを基端としてノズル部１３自体が下方に押し下げられるようになっている（図４に示す矢印Ａ）。
【００１２】
上記ノズル部１３の内部には、上下方向に延びて本体１０の下面に開口し、スプレー容器上面に突出する噴射筒２５と嵌着連通する嵌入穴１５が設けられている。この嵌入穴１５の内周面には、段部１５ａが形成され、この段部１５ａが噴射筒２５の先端部と当接し、ノズル部１３の押し下げに伴って噴射筒２５が押し下げられるようになっている（図４に示す矢印Ｂ）。
【００１３】
上記ノズル部１３の前面には、円柱状のノズル突部１９が形成され、このノズル突部１９の前面に凹部１６が形成されている。この凹部１６の内周面下側に、上記弾性ノズル部材１８と係合して回動を阻止する回り止め溝２３が前後方向に延びるように形成されている。また、上記凹部１６の奥面中央には、上記嵌入穴１５に連通して噴射筒２５から噴射される内容物を噴射させる第１ノズル穴２０が穿設されている。さらに、このノズル突部１９の外周面には、キャップ部材１１と係合してキャップ部材１１を抜け止めする抜け止め突条２２が周設されている。
【００１４】
上記凹部１６に収容される弾性ノズル部材１８は、ゴム製であり、図５〜図７に示すように、円柱状に形成され、前面中央にキャップ部材１１と回動可能に嵌合する先端突起１７が形成されている。この先端突起１７は、正面視円形でその左右に、上記キャップ部材１１の回動によって圧縮される圧縮部１７ａが延設され、その外周面２１の左右方向の外径Ｐが、上下方向の外径Ｑよりも大きく形成されている。また、この弾性ノズル部材１８の中央には、正面視で上下に長い菱形の第２ノズル穴２８が前後方向に貫通するよう穿設されている。２９は回り止め溝２３と係合して弾性ノズル部材１８を回動不能にする回り止め用突条である。
【００１５】
上記ノズル突部１９に冠着するキャップ部材１１は、図８および図９に示すように、合成樹脂で有天円筒状に形成され、内周面に上記ノズル突部１９外周面の抜け止め突条２２と係合する係合溝２４が形成されている。また、天井壁の中央に、上記弾性ノズル部材１８の先端突起１７の外周面２１と回動可能に嵌合する雲形の嵌合穴２６が形成されている。この嵌合穴２６は、左右方向の内径Ｒが上下方向の内径Ｓよりも大きく形成されている。そして、上記左右方向の内径Ｒは、上記弾性ノズル部材１８における先端突起１７外周面２１の左右方向の外径Ｐに対応して設定され、上記上下方向の内径Ｓは、上記弾性ノズル部材１８における上下方向の外径Ｑに対応して設定されている。これにより、弾性ノズル部材１８の先端突起１７とキャップ部材１１との上下左右を合わせた状態で嵌合させると、嵌合穴２６が上記先端突起１７を変形させることなくちょうど嵌入されるようになっている。また、上記弾性ノズル部材１８における先端突起１７外周面２１の左右方向の外径Ｐが、上記嵌合穴２６の上下方向の内径Ｓよりも大きく設定されている。さらに、この嵌合穴２６の内周面には、２個所の位置決め突起２７が形成され、これら位置決め突起２７を先端突起１７の圧縮部１７ａに当接させるように嵌合穴２６を嵌合させると、キャップ部材１１と弾性ノズル部材１８との上下左右が合うようになっている。図において３０はキャップ部材１１を手指で把持して回動させる際の滑り止めである。
【００１６】
そして、このスプレー容器用ノズルは、図１０および図１１に示すように、弾性ノズル部材１８が本体１０の凹部１６に回動不能に収容され、さらに、キャップ部材１１がノズル突部１９に回動可能に冠着された状態で使用される。このとき、キャップ部材１１の嵌合穴２６が弾性ノズル部材１８の先端突起１７外周面２１に回動可能に嵌合するようになっている。
【００１７】
このスプレー容器用ノズルを用いて、まず、広い面積にスプレー噴射する場合には、図１２に示すように、キャップ部材１１を、弾性ノズル部材１８と上下左右を合わせるよう（嵌合穴２６の左右方向の内径Ｒが、弾性ノズル部材１８の先端突起１７外周面２１の左右方向の外径Ｐに対応する）に位置決めする。この状態では、上記弾性ノズル部材１８の先端突起１７は嵌合穴２６にちょうど嵌合しているため変形せず、第２ノズル穴２８が最も開いており、その開口面積は最も大きい状態である。そして、本体１０の押圧片１３ａを押圧操作すると、ノズル部１３が下方に押し下げられてスプレー容器の噴射筒２５が押し下げられ、内容物が嵌入穴１５内に噴射され、この嵌入穴１５に連通する第１ノズル穴２０を通り、上記第２ノズル穴２８から前方に噴出される。このとき、上記第２ノズル穴２８の開口面積が大きいため、その開口面積に対応して第２ノズル穴２８内を流れる内容物の流量が多くなり、それに伴い噴射角度が大きく設定され、広い面積にスプレー噴射することができる。
【００１８】
一方、狭い面積にスプレー噴射しようとする場合には、図１３に示すように、キャップ部材１１を手指で把持して９０度回動させ、弾性ノズル部材１８の左右とキャップ部材１１の上下を合わせるよう（嵌合穴２６の上下方向の内径Ｓが、弾性ノズル部材１８の先端突起１７外周面２１の左右方向の外径Ｐに対応する）に位置決めする。このとき、上記弾性ノズル部材１８の先端突起１７外周面２１の左右方向の外径Ｐが、嵌合穴２６の上下方向の内径Ｓよりも大きいため、上記先端突起１７の左右の圧縮部１７ａが嵌合穴２６の内周面で圧縮される（図１３における矢印Ｃ）。この圧縮により、第２ノズル穴２８の開口面積が小さくなり、その開口面積に対応して第２ノズル穴２８内を流れる内容物の流量が少なくなり、噴射角度が小さく設定され、狭い面積にスプレー噴射することができる。また、上記キャップ部材１１を徐々に回動させていくと、第２ノズル穴２８の開口面積も徐々に小さくなり、それに伴い噴出される内容物の流量も徐々に少なくなり、噴射角度，噴射面積も徐々に小さくなる。
【００１９】
このとき、弾性ノズル部材１８に先端突起１７が設けられ、この先端突起１７を変形させるようにしてることから、第２ノズル穴２８の先端部分の開口が変わり、確実に噴射角度が変化するとともに、圧縮変形もスムーズに行われる。しかも、上記第２ノズル穴２８が上下に長い菱形に形成されていることから、上記弾性ノズル部材１８の先端突起１７の圧縮変形がさらにスムーズに行われる。また、キャップ部材１１の回動角度を０度〜９０度の間で適宜に変更させることで、弾性ノズル部材１８の圧縮量を変化させ、第２ノズル穴２８の開口面積を無段階に調節し、噴射角度，噴射面積を自在に設定することができる。
【００２０】
また、上記実施の形態において、第２ノズル穴２８の穴径や数，形状等は、内容物の粘度や種類，用途等に応じて適宜に設定し、適当な噴射角度になるように設定することができる。また、弾性ノズル部材１８の硬度も適宜に設定することができる。また、上記実施の形態においては、弾性ノズル部材１８に先端突起１７を設け、この先端突起１７をキャップ部材１１の回動によって圧縮変形させるようにしたが、これに限らず、弾性ノズル部材１８全体を圧縮変形させるようにしてもよい。また、弾性ノズル部材１８の先端突起１７外周面２１の左右方向の外径Ｐと、キャップ部材１１の嵌合穴２６の上下方向の内径Ｓとの差を大きく設定し、キャップ部材１１を９０度回動させたときの圧縮変形で、第２ノズル穴２８が液密状に閉じるようにしてもよい。
【００２１】
【発明の効果】
以上のように、この発明のスプレー容器用ノズルは、広い面積にスプレー噴射する場合には、操作部材を、弾性ノズル部材が圧縮されない位置に位置決めし、第２ノズル穴の開口面積を最大になるよう設定する。これにより、上記開口面積の大きさに伴って噴射角度が大きく設定され、広い面積にスプレー噴射することができる。一方、狭い面積にスプレー噴射しようとする場合には、操作部材を回動させて弾性ノズル部材を径方向に圧縮させ、第２ノズル穴の開口面積を小さくする。これにより、上記開口面積が小さくなったことに伴って噴射角度が小さく設定され、狭い面積にスプレー噴射することができる。
【００２２】
また、この発明のスプレー容器用ノズルは、噴射角度を必要に応じて調節することができるため、広い面積にスプレーを噴射する場合にも、スプレー容器自体を対象物から離したり、スプレー容器自体を移動させる必要がなくなり、塗布むらが生じにくく、まんべんなく均一に塗布等することができる。また、狭い面積だけに噴射したい場合にも、スプレー容器を対象物に近づけたり、マスキングを施す必要がなくなり、塗料等が無駄に消費されることがなく、作業性もよくなる。しかも、噴射角度は無段階で調節可能であるため、作業状況に応じて自在に噴射面積を調節することができる。
【図面の簡単な説明】
【図１】この発明の一実施の形態のスプレー容器用ノズルを示す分解斜視図である。
【図２】本体を示す正面図である。
【図３】上記本体を示す平面図である。
【図４】上記本体を示す断面図である。
【図５】弾性ノズル部材を示す正面図である。
【図６】上記弾性ノズル部材を示す側面図である。
【図７】上記弾性ノズル部材を示す断面図である。
【図８】キャップ部材を示す背面図である。
【図９】上記キャップ部材を示す断面図である。
【図１０】上記スプレー容器用ノズルを示す平面図である。
【図１１】上記スプレー容器用ノズルを示す断面図である。
【図１２】上記スプレー容器用ノズルの作用を示す拡大正面図である。
【図１３】上記スプレー容器用ノズルの作用を示す拡大正面図である。
【図１４】従来例のスプレー容器を示す説明図である。
【符号の説明】
１０  本体
１１  キャップ部材
１６  凹部
１８  弾性ノズル部材
２０  第１ノズル穴
２１  外周面
２８  第２ノズル穴
【図１】
0003616699.tif 000002
【図２】
0003616699.tif 000003
【図３】
0003616699.tif 000004
【図４】
0003616699.tif 000005
【図５】
0003616699.tif 000006
【図６】
0003616699.tif 000007
【図７】
0003616699.tif 000008
【図８】
0003616699.tif 000009
【図９】
0003616699.tif 000010
【図１０】
0003616699.tif 000011
【図１１】
0003616699.tif 000012
【図１２】
0003616699.tif 000013
【図１３】
0003616699.tif 000014
【図１４】
0003616699.tif 000015